(57)【要約】【課題】コイルをスロットに挿入しやすいとともに接合箇所を少なくすることができる回転電機のステータを提供する。【解決手段】回転電機のステータは、内周面に開口するスロット２１が周方向に並設されてなるステータコア２０と、スロット２１に挿入され、隣極接続されるコイル３０，４０，５０と、を備える。コイル３０，４０は、同極カセットコイルであって、平角線よりなる１本の導線を重ね巻にて成形して構成され、巻回部から延びる端部３９，４９が、隣接する極の同相コイルの端部まで延設されて直接接合されている。【選択図】図４
2014135849.tif 000002
【特許請求の範囲】
【請求項１】
内周面に開口するスロットが周方向に並設されてなるステータコアと、
前記スロットに挿入され、隣極接続されるコイルと、
を備えた回転電機のステータであって、
コイルは、平角線よりなる１本の導線を重ね巻にて成形して構成され、巻回部から延びる端部が、隣接する極の同相コイルの端部まで延設されて直接接合されていることを特徴とする回転電機のステータ。
【請求項２】
前記コイルにおける一対の端部のうちの一方が前記巻回部のコイルエンド部の頂上部に位置し、他方が隣接する極の同相コイルの端部まで延設されていることを特徴とする請求項１に記載の回転電機のステータ。
【請求項３】
前記コイルにおける前記延設される端部は、前記巻回部のスロット挿入部よりも内周側または外周側を延びることを特徴とする請求項１または２に記載の回転電機のステータ。
【請求項４】
前記コイルにおける前記延設される端部は、前記巻回部のスロット挿入部よりも外周側を延び、クランク形状部を有することを特徴とする請求項１または２に記載の回転電機のステータ。
【請求項５】
前記コイルは、毎相毎極のスロット数が２以上で同相内が１本の平角線で形成された２連以上であることを特徴とする請求項１〜４のいずれか１項に記載の回転電機のステータ。
【請求項６】
前記平角線は、エッジワイズ巻きされ、前記巻回部のコイルエンド部にクランク形状部を有し、前記巻回部のスロット挿入部の平角線は、平角線の断面長手方向がステータの周方向となるとともに平角線の断面短手方向がステータの径方向となるように形成されていることを特徴とする請求項１〜５のいずれか１項に記載の回転電機のステータ。
【発明の詳細な説明】
【技術分野】
【０００１】
本発明は、回転電機のステータに関するものである。
【背景技術】
【０００２】
回転電機のステータの構成として、特許文献１等において、平角線をα巻きすることにより渡り線によって接続された２連続重ね巻コイルを持つ回転電機が開示されている。また、渡り線により複数対の巻回部（エレメントコイル）を連続した線によって形成する技術も開示されている。
【先行技術文献】
【特許文献】
【０００３】
【特許文献１】特開２００９−１９５００５号公報
【発明の概要】
【発明が解決しようとする課題】
【０００４】
ところで、同極のコイルを複数用いて同極のコイルを繋ぐべく接合すると、接合箇所（接合部）が多くなってしまう。また、渡り線により複数対の巻回部を連続した線によって形成して隣の極のコイルも連続巻きすると、コイルは全部が繋がっているのでコイルをステータコアのスロットに挿入しにくい。即ち、極間まで連続巻きすると、コイルセット性が著しく悪くなってしまう。
【０００５】
本発明の目的は、コイルをスロットに挿入しやすいとともに接合箇所を少なくすることができる回転電機のステータを提供することにある。
【課題を解決するための手段】
【０００６】
請求項１に記載の発明では、内周面に開口するスロットが周方向に並設されてなるステータコアと、前記スロットに挿入され、隣極接続されるコイルと、を備えた回転電機のステータであって、コイルは、平角線よりなる１本の導線を重ね巻にて成形して構成され、巻回部から延びる端部が、隣接する極の同相コイルの端部まで延設されて直接接合されていることを要旨とする。
【０００７】
請求項１に記載の発明によれば、コイルは、平角線よりなる１本の導線を重ね巻にて成形して構成され、巻回部から延びる端部が、隣接する極の同相コイルの端部まで延設されて直接接合されているので、コイルをスロットに挿入しやすいとともに接合箇所を少なくすることができる。
【０００８】
請求項２に記載の発明では、請求項１に記載の回転電機のステータにおいて、前記コイルにおける一対の端部のうちの一方が前記巻回部のコイルエンド部の頂上部に位置し、他方が隣接する極の同相コイルの端部まで延設されていることを要旨とする。
【０００９】
請求項２に記載の発明によれば、コイルにおける一対の端部のうちの一方が巻回部のコイルエンド部の頂上部に位置するので、例えば、溶接機を入れやすく接続しやすい。
請求項３に記載の発明では、請求項１または２に記載の回転電機のステータにおいて、前記コイルにおける前記延設される端部は、前記巻回部のスロット挿入部よりも内周側または外周側を延びることを要旨とする。
【００１０】
請求項３に記載の発明によれば、端部は巻回部のスロット挿入部よりも内周側または外周側を延びるので、軸方向に曲げる（逃げる）場合に比べ、コイルエンド部を低くすることができる。
【００１１】
請求項４に記載の発明では、請求項１または２に記載の回転電機のステータにおいて、前記コイルにおける前記延設される端部は、前記巻回部のスロット挿入部よりも外周側を延び、クランク形状部を有することを要旨とする。
【００１２】
請求項４に記載の発明によれば、端部は巻回部のスロット挿入部よりも外周側を延びるので、軸方向に曲げる（逃げる）場合に比べ、コイルエンド部を低くすることができ、クランク形状部を有するので、隣接するコイルの端部との干渉を防ぐことができる。
【００１３】
請求項５に記載の発明では、請求項１〜４のいずれか１項に記載の回転電機のステータにおいて、前記コイルは、毎相毎極のスロット数が２以上で同相内が１本の平角線で形成された２連以上であることを要旨とする。
【００１４】
請求項５に記載の発明によれば、より接合箇所（接合部）を少なくすることができる。
請求項６に記載の発明では、請求項１〜５のいずれか１項に記載の回転電機のステータにおいて、前記平角線は、エッジワイズ巻きされ、前記巻回部のコイルエンド部にクランク形状部を有し、前記巻回部のスロット挿入部の平角線は、平角線の断面長手方向がステータの周方向となるとともに平角線の断面短手方向がステータの径方向となるように形成されていることを要旨とする。
【００１５】
請求項６に記載の発明によれば、コイルエンド部において捩れがないのでコイルエンド部を低くすることができる。
【発明の効果】
【００１６】
本発明によれば、コイルをスロットに挿入しやすいとともに接合箇所を少なくすることができる。
【図面の簡単な説明】
【００１７】
【図１】（ａ）は実施形態の第１の同極カセットコイルの平面図、（ｂ）は第１の同極カセットコイルの正面図、（ｃ）は第１の同極カセットコイルの下面図、（ｄ）は（ｂ）のＡ−Ａ線での縦断面図。
【図２】（ａ）は第２の同極カセットコイルの平面図、（ｂ）は第２の同極カセットコイルの正面図、（ｃ）は第２の同極カセットコイルの下面図、（ｄ）は（ｂ）のＡ−Ａ線での縦断面図。
【図３】（ａ）は第３の同極カセットコイルの平面図、（ｂ）は第３の同極カセットコイルの正面図、（ｃ）は第３の同極カセットコイルの下面図、（ｄ）は（ｂ）のＡ−Ａ線での縦断面図。
【図４】実施形態のスロット内のコイルのレイアウト図。
【図５】（ａ）は比較のためのコイルの平面図、（ｂ）はコイルの正面図、（ｃ）はコイルの下面図、（ｄ）は（ｂ）のＡ−Ａ線での縦断面図。
【図６】比較のためのスロット内のコイルのレイアウト図。
【図７】（ａ）は別例の第１の同極２連巻カセットコイルの平面図、（ｂ）は第１の同極２連巻カセットコイルの正面図、（ｃ）は（ｂ）のＡ−Ａ線での縦断面図。
【図８】（ａ）は別例の第２の同極２連巻カセットコイルの平面図、（ｂ）は第２の同極２連巻カセットコイルの正面図、（ｃ）は（ｂ）のＡ−Ａ線での縦断面図。
【図９】（ａ）は別例のカセットコイルの平面図、（ｂ）は別例のカセットコイルの正面図、（ｃ）は（ｂ）のＡ−Ａ線での縦断面図。
【発明を実施するための形態】
【００１８】
以下、本発明を具体化した一実施形態を図面に従って説明する。
図１，２，３，４に示すように、回転電機としてのモータのステータ１０は、円筒状のステータコア２０と、３種類の同極カセットコイル３０，４０，５０を備える。図１が第１の同極カセットコイル３０であり、図２が第２の同極カセットコイル４０であり、図３が第３の同極カセットコイル５０である。ステータコア２０は内周面に開口するスロット２１が周方向に並設されている。ステータコア２０のスロット２１に３種類の同極カセットコイル３０，４０，５０が挿入され、隣極接続される。第１の同極カセットコイル３０と第２の同極カセットコイル４０とは周方向に隣接して交互に配置されるとともに端部に第３の同極カセットコイル５０が配置される。極数は「８」である。図４のステータコアの展開図において、スロットの数が「４８」であり、並列されたスロットはＵＵＶＶＷＷＵＵ…となり、毎相毎極のスロット数が「２」である。そして、毎相毎極のスロット数２のうちの１つにつき、４つの第１の同極カセットコイル３０と、３つの第２の同極カセットコイル４０と、１つの第３の同極カセットコイル５０を用いて、同相内が同極カセットコイル３０，４０，５０で接続されている。
【００１９】
同極カセットコイル３０，４０，５０は、スロット挿入前の状態において、予め成形されたものである。同極カセットコイル３０，４０，５０は、平角線よりなる１本の導線を重ね巻にて成形して構成されている。
【００２０】
図１に示すように、第１の同極カセットコイル３０は、巻回部３１を備えている。巻回部３１は平角線（導線）をエッジワイズ巻きして形成されている。巻回部３１は、巻数が２ターンである。
【００２１】
第１の同極カセットコイル３０の巻回部３１はステータコア２０の径方向から見て、六角形状をなしている。巻回部３１はスロット挿入部３２，３３がステータコアのスロット２１にそれぞれ挿入され、各コイルエンド部３４はステータコア２０の軸方向の端面から突出する。
【００２２】
巻回部３１のコイルエンド部３４は、一対の斜行部３５，３６と、一対の斜行部３５，３６の間に形成されるクランク形状部３７（図１（ａ），（ｃ）参照）を有している。スロット挿入部３２，３３の一端部から斜行部３５，３６がスロット挿入部３２，３３に対し傾斜して形成されている。離間したスロット（スロット群のうちの一対のスロット）２１に挿入されたスロット挿入部３２，３３の一端部にクランク形状部３７が斜行部３５，３６を連結している。クランク形状部３７によりスロット挿入部３２の径方向位置からスロット挿入部３３の径方向位置にレーンチェンジが行われる。スロット２１内においては２つのスロット挿入部（隣接する同極カセットコイルのスロット挿入部）が配置されるが、斜行部３５およびスロット挿入部３２が径方向外側（外径側）、斜行部３６およびスロット挿入部３３が径方向内側（内径側）になる。クランク形状部３７はこの径方向外側と内側をつなぐ為に形成される。
【００２３】
巻回部３１のスロット挿入部３２，３３の平角線は、スロット２１に挿入された状態で、平角線の断面長手方向がステータの周方向となるとともに平角線の断面短手方向がステータの径方向となるように形成されている。
【００２４】
また、巻回部３１から延びる巻き端部（引出部）３８，３９を有し、端部３９が、隣接する極の同相コイルの端部まで延設されて直接接合される。詳しくは、端部３８が巻回部３１のコイルエンド部３４の頂上部に位置し、図４の左端の第１の同極カセットコイル３０においては、外部引き出し用となるとともに、端部３９が、図２に示す隣接する極の同相コイル（同極カセットコイル４０）の端部４８まで周方向に延設されている。周方向に延設される端部３９は、巻回部３１のスロット挿入部３３よりも内周側を延びている。一方、図４の左から２番目以降の第１の同極カセットコイル３０においては、端部３８が図２に示す隣接する極の同相コイル（同極カセットコイル４０）の端部４９と接合される。
【００２５】
図２に示すように、第２の同極カセットコイル４０は、巻回部４１を備えている。巻回部４１は平角線（導線）をエッジワイズ巻きして形成されている。巻回部４１は、巻数が２ターンである。
【００２６】
第２の同極カセットコイル４０の巻回部４１はステータコア２０の径方向から見て、六角形状をなしている。巻回部４１はスロット挿入部４２，４３がステータコアのスロット２１にそれぞれ挿入され、各コイルエンド部４４はステータコア２０の軸方向の端面から突出する。
【００２７】
巻回部４１のコイルエンド部４４は、一対の斜行部４５，４６と、一対の斜行部４５，４６の間に形成されるクランク形状部４７（図２（ａ），（ｃ）参照）を有している。スロット挿入部４２，４３の一端部から斜行部４５，４６がスロット挿入部４２，４３に対し傾斜して形成されている。離間したスロット（スロット群のうちの一対のスロット）２１に挿入されたスロット挿入部４２，４３の一端部にクランク形状部４７が斜行部４５，４６を連結している。クランク形状部４７によりスロット挿入部４２の径方向位置からスロット挿入部４３の径方向位置にレーンチェンジが行われる。スロット２１内においては２つのスロット挿入部（隣接する同極カセットコイルのスロット挿入部）が配置されるが、斜行部４５およびスロット挿入部４２が径方向外側（外径側）、斜行部４６およびスロット挿入部４３が径方向内側（内径側）になる。クランク形状部４７はこの径方向外側と内側をつなぐ為に形成される。
【００２８】
巻回部４１のスロット挿入部４２，４３の平角線は、スロット２１に挿入された状態で、平角線の断面長手方向がステータの周方向となるとともに平角線の断面短手方向がステータの径方向となるように形成されている。
【００２９】
また、巻回部４１から延びる巻き端部（引出部）４８，４９を有し、端部４９が、隣接する極の同相コイルの端部まで延設されて直接接合される。詳しくは、端部４８が巻回部４１のコイルエンド部４４の頂上部に位置し、図１に示す隣接する極の同相コイル（同極カセットコイル３０）の端部３９と接合されるとともに、端部４９が、図１に示す隣接する極の同相コイル（同極カセットコイル３０）の端部３８まで周方向に延設されている。周方向に延設される端部４９は、巻回部４１のスロット挿入部４２よりも外周側を延びている。
【００３０】
また、端部４９は隣接するカセットコイル４０の端部４９と干渉しない様にクランク形状部７０を有している。具体的にはスロット挿入部４２から一旦外径側へ延びて周方向へ斜行部４５と同じ角度で延びる。そしてクランク形状部７０で内径側へ延びて再び周方向へ斜行部４６と同じ角度で延びる。
【００３１】
図３に示すように、第３の同極カセットコイル５０は、巻回部５１を備えている。巻回部５１は平角線（導線）をエッジワイズ巻きして形成されている。巻回部５１は、巻数が２ターンである。
【００３２】
第３の同極カセットコイル５０の巻回部５１はステータコア２０の径方向から見て、六角形状をなしている。巻回部５１はスロット挿入部５２，５３がステータコアのスロット２１にそれぞれ挿入され、各コイルエンド部５４はステータコア２０の軸方向の端面から突出する。
【００３３】
巻回部５１のコイルエンド部５４は、一対の斜行部５５，５６と、一対の斜行部５５，５６の間に形成されるクランク形状部５７（図３（ａ），（ｃ）参照）を有している。スロット挿入部５２，５３の一端部から斜行部５５，５６がスロット挿入部５２，５３に対し傾斜して形成されている。離間したスロット（スロット群のうちの一対のスロット）２１に挿入されたスロット挿入部５２，５３の一端部にクランク形状部５７が斜行部５５，５６を連結している。クランク形状部５７によりスロット挿入部５２の径方向位置からスロット挿入部５３の径方向位置にレーンチェンジが行われる。スロット２１内においては２つのスロット挿入部（隣接する同極カセットコイルのスロット挿入部）が配置されるが、斜行部５５およびスロット挿入部５２が径方向外側（外径側）、斜行部５６およびスロット挿入部５３が径方向内側（内径側）になる。クランク形状部５７はこの径方向外側と内側をつなぐ為に形成される。
【００３４】
巻回部５１のスロット挿入部５２，５３の平角線は、スロット２１に挿入された状態で、平角線の断面長手方向がステータの周方向となるとともに平角線の断面短手方向がステータの径方向となるように形成されている。
【００３５】
また、巻回部５１から延びる巻き端部（引出部）５８，５９を有し、端部５８が、隣接する極の同相コイルの端部と直接接合される。詳しくは、端部５８が巻回部５１のコイルエンド部５４の頂上部に位置し、図１に示す隣接する極の同相コイル（同極カセットコイル３０）の端部３９と接合されるとともに、端部５９が、スロット挿入部５２から軸方向に延びており、図４に示すように外部引き出し用となっている。なお、図４の結線図ではＵ相における毎相毎極のスロット数２のうちの１つについてのみ示すが、残りのＵ相、および、他の相（Ｖ相、Ｗ相）についても同様である。
【００３６】
次に、作用について説明する。
図１，２，３に示す３種類の同極カセットコイル３０，４０，５０を準備する。そして、図４に示すように、第１の同極カセットコイル３０と第２の同極カセットコイル４０とを交互にステータコア２０のスロット２１に挿入していくとともに端部に位置する同極カセットコイル３０に対し隣接するように第３の同極カセットコイル５０をスロット２１に挿入する。なお、残りのＵ相、および、その他の相のカセットコイルも順にスロット２１に挿入される。そして、向き合った端部同士を接合（溶接）する。
【００３７】
このように、２ターンの同極カセットコイル３０，４０（端部が位置違いのコイル）を交互にスロット２１に挿入するとともに引出し用の同極カセットコイル５０をスロット２１に挿入し、端部同士を接合して、直線に整列させる構成にする。同極カセットコイル（重ね巻コイル）３０，４０，５０は、エッジワイズ巻コイルより成形するとともにコイルエンド部にクランク形状部を有するためコイルエンド部に旋回部が無く、コイルエンド部の軸方向長さが小さい。また、平角線を用いることで、スロット２１内の導体占積率を高めることができる。
【００３８】
次に、本実施形態（図１，２，３，４）と図５，６に示す比較例とを比較する。
図５の比較のためのコイル２００においては、巻回部２０１は、平角線よりなる導線がエッジワイズ巻きされ、ステータのスロットに対応する一対のスロット挿入部２０２，２０３とコイルエンド部２０４を有する。また、コイルエンド部２０４は斜行部２０５，２０６およびクランク形状部２０７を有している。さらに、スロット挿入部２０２，２０３の平角線は、スロット２１に挿入された状態で、平角線の断面長手方向がステータの周方向となるとともに平角線の断面短手方向がステータの径方向となるように形成されている。また、巻回部２０１は、重ね巻きして成形され、両方の巻き端部２０８，２０９が、コイルエンド部２０４の頂上部に位置している。
【００３９】
そして、図６に示すように、１種類の８つのコイル２００がスロット２１に挿入され、別部材である渡り線２１１，２１２，２１３，２１４，２１５，２１６，２１７を用いて溶接にて接合する。
【００４０】
この比較例においては溶接部がＢ１〜Ｂ１４で示すごとく全部で１４箇所となる。
これに対し、図４に示す本実施形態においては、ステータの各相は、既に所定の形状に成形された平角線カセットコイル（３０，４０，５０）をステータコアのスロットに挿入するとともに、それぞれの同極カセットコイル３０，４０，５０を隣極結線で接続している。詳しくは、図１に示す第１の同極カセットコイル３０は、一方の端部３９が次のコイル位置まで延長されているとともに、最内周のターンから次のコイルに延びるリード部としての端部３９は、最内周のターン位置より更に内周を通る。また、図２に示す第２の同極カセットコイル４０は、一方の端部４９が次のコイル位置まで延長されており、最外周のターンから次のコイルに延びるリード部としての端部４９は、最外周のターン位置より更に外周を通る。さらに、図３に示す第３の同極カセットコイル５０は、巻き始め・巻き終りの両端部（５８，５９）がコイルエンド部５４の頂上部と巻回部５１のスロット挿入部５２において軸方向に延設されている。
【００４１】
よって、図６の渡り線２１１〜２１７を不要にできる。そして、図４での溶接部はＢ１〜Ｂ７で示すごとく全部で７箇所となり、図５，６で示した比較例との関係においては、接合箇所を少なくすることができる（溶接点数を削減できる）。
【００４２】
このようにして、平角線の重ね巻されたコイルを隣極接続する分布巻のステータにおいて、ステータの各相は、既に所定の形状に成形された平角線カセットコイル（３０，４０，５０）をステータコア２０のスロット２１に挿入して製作される。このとき、所定の形状に成形されたコイルは、以下の３種類のコイル形状を含む。第１の同極カセットコイル３０は、巻き終わり（コア最内周側）の端部３９が、次のコイルの端部まで延長された形状となっている。最内周のターンから次のコイルに延びる端部３９は、最内周のコイル重ね巻位置より更に内周側を通る。また、第２の同極カセットコイル４０は、巻き始め（最外周側）の端部４９が、次のコイルの端部まで延長された形状となっている。最外周のターンから次のコイルに延びる端部４９は、最外周のコイル重ね巻位置より更に外周側を通る。さらに、第３の同極カセットコイル５０は、各相の接続の最後に配置され、巻き始め・巻き終わり共に次のコイルまで延長されない。よって、極間渡り線を省略（一体化）できるため、溶接点数を削減できるほか、渡り線保持治具（図６で示した渡り線２１１〜２１７を持ってくるための治具）等の設備も省略でき、溶接コストを低減できる。
【００４３】
上記実施形態によれば、以下のような効果を得ることができる。
（１）同極カセットコイル３０，４０は、平角線よりなる１本の導線を重ね巻にて成形して構成され、巻回部３１，４１から延びる端部３９，４９が、隣接する極の同相コイルの端部まで延設されて直接接合されている。よって、コイルをステータコアのスロット２１に挿入しやすいとともに接合箇所を少なくすることができる。詳しくは、同極のコイルを複数用いて同極のコイルを繋ぐべく接合すると接合箇所（接合部）が多くなってしまうが、本実施形態のコイルでは巻回部から延びる端部３９，４９を用いているので接合箇所は少ない。また、複数対の巻回部を連続した線によって形成して全ての極間まで連続巻きするとコイルは全部が繋がっているのでコイルをステータコアのスロットに挿入しにくいが、本実施形態のコイルでは、スロット挿入前において極間のコイルは別体構造をなしておりスロットに挿入しやすい。
【００４４】
（２）同極カセットコイル３０，４０における一対の端部のうちの一方が巻回部のコイルエンド部の頂上部に位置し、他方が隣接する極の同相コイルの端部まで延設されている。よって、コイルにおける一対の端部のうちの一方が巻回部のコイルエンド部の頂上部に位置するので、例えば、溶接機を入れやすく接続しやすい。
【００４５】
（３）コイルにおける延設される端部３９，４９は、巻回部３１，４１のスロット挿入部よりも内周側または外周側を延びるので、軸方向に曲げる（逃げる）場合に比べ、コイルエンド部を低くすることができる。
【００４６】
（４）平角線は、エッジワイズ巻きされ、巻回部３１，４１のコイルエンド部３４，４４にクランク形状部３７，４７を有し、巻回部のスロット挿入部の平角線は、平角線の断面長手方向がステータの周方向となるとともに平角線の断面短手方向がステータの径方向となるように形成されている。よって、コイルエンド部３４，４４において捩れがないのでコイルエンド部３４，４４を低くすることができる。
【００４７】
（５）端部４９はクランク形状部７０を有している。クランク形状部７０では径方向へクランクして隣接するカセットコイルの端部４９との干渉を防いでいる。つまり、隣接するカセットコイルの端部４９とクランク形状部７０で軸方向の位置関係が入れ替わるので、コイルエンド部を低くすることができる。
【００４８】
実施形態は前記に限定されるものではなく、例えば、次のように具体化してもよい。
・図１，２，３に示した同極カセットコイル３０，４０，５０のうち、第１の同極カセットコイル３０と第３の同極カセットコイル５０のみで構成する、あるいは、第２の同極カセットコイル４０と第３の同極カセットコイル５０のみで構成するようにしてもよい。この場合、含まれていない方のコイル渡り線に該当する部分は、別体の渡り線を用いる。要は、第１の同極カセットコイル３０または第２の同極カセットコイル４０を備えていればよい。
【００４９】
・図７，８に示すように、コイルを連続巻きしてもよい。つまり、コイルは、毎相毎極のスロット数が２以上で同相内が１本の平角線で形成された２連以上としてもよい。これによって、より接合箇所（接合部）を少なくすることができる。また、結線構造を１Ｙ、１Δ等にできる。
【００５０】
図７，８を用いて具体的に説明する。
同極２連巻カセットコイル１００，１２０は、平角線よりなる１本の導線を重ね巻にて成形して構成され、２連化されている。同極２連巻カセットコイル１００，１２０は、第１の巻回部１０１と第２の巻回部１０２を備え、渡り線１１５で第１の巻回部１０１と第２の巻回部１０２とがつながっている。第１の巻回部１０１および第２の巻回部１０２は平角線（導線）をエッジワイズ巻きして形成されている。第１の巻回部１０１および第２の巻回部１０２は、各々、巻数が２ターンである。
【００５１】
第１の巻回部１０１はスロット挿入部１０３，１０４がステータコアのスロット２１にそれぞれ挿入され、コイルエンド部１０５はステータコア２０の軸方向の端面から突出する。第１の巻回部１０１のコイルエンド部１０５は、一対の斜行部１０６，１０７と、一対の斜行部１０６，１０７の間に形成されるクランク形状部１０８（図７（ａ）、図８（ａ）参照）を有している。スロット２１内においては２つのスロット挿入部（隣接する同極２連巻カセットコイルのスロット挿入部）が配置され、斜行部１０６およびスロット挿入部１０３が径方向外側（外径側）、斜行部１０７およびスロット挿入部１０４が径方向内側（内径側）になる。第２の巻回部１０２はスロット挿入部１０９，１１０がステータコアのスロット２１にそれぞれ挿入され、コイルエンド部１１１はステータコア２０の軸方向の端面から突出する。第２の巻回部１０２のコイルエンド部１１１は、一対の斜行部１１２，１１３と、一対の斜行部１１２，１１３の間に形成されるクランク形状部１１４（図７（ａ）、図８（ａ）参照）を有している。スロット２１内においては２つのスロット挿入部（隣接する同極２連巻カセットコイルのスロット挿入部）が配置され、斜行部１１２およびスロット挿入部１０９が径方向外側（外径側）、斜行部１１３およびスロット挿入部１１０が径方向内側（内径側）になる。また、ステータコア２０の周方向でのスロット挿入部１０３，１０４，１０９，１１０の並び方については、図７（ｃ）、図８（ｃ）に示すように、２連化されたコイル（同極２連巻カセットコイル）１００，１２０は、第１の巻回部１０１のスロット挿入部１０３が周方向の外側となる。一方、スロット挿入部１０４が周方向の内側となっている。また、第２の巻回部１０２のスロット挿入部１０９が周方向の外側となり、スロット挿入部１１０が周方向の内側となっている。
【００５２】
図７に示す同極２連巻カセットコイル１００は、巻回部１０１，１０２から延びる巻き端部（引出部）１１６，１１７を有し、端部１１７が、隣接する極の同相コイルの端部まで延設されて直接接合される。詳しくは、端部１１６が巻回部１０１，１０２のコイルエンド部１０５，１１１の頂上部付近に位置し、端部１１７が、隣接する極の同相コイル（同極２連巻カセットコイル１２０）の端部１２１まで周方向に延設されている。周方向に延設される端部１１７は、巻回部１０１，１０２のスロット挿入部１０４よりも内周側を延びる。図８に示す同極２連巻カセットコイル１２０は、巻回部１０１，１０２から延びる巻き端部（引出部）１２１，１２２を有し、端部１２２が、隣接する極の同相コイルの端部まで延設されて直接接合される。端部１２２は隣接するカセットコイル１２０の端部１２２と干渉しない様にクランク形状部１２３を有している。具体的にはスロット挿入部１０９から一旦外径側へ延びて周方向へ斜行部１１２と同じ角度で延びる。そしてクランク形状部１２３で内径側へ延びて再び周方向へ斜行部１１３と同じ角度で延びる。詳しくは、端部１２１が巻回部１０１，１０２のコイルエンド部１０５，１１１の頂上部付近に位置し、端部１２２が、隣接する極の同相コイル（同極２連巻カセットコイル１００）の端部１１６まで周方向に延設されている。周方向に延設される端部１２２は、巻回部１０１，１０２のスロット挿入部１０３よりも外周側を延びる。
【００５３】
・第１の同極カセットコイル３０および第２の同極カセットコイル４０において、隣接する極の同相コイルの端部まで延設される端部は内周側、外周側どちらか一方でもよい。
・コイルを構成する平角線はフラットワイズ巻きでもよい。またクランク形状部に捻りがあってもよい。
【００５４】
・巻回部のターン数は任意である。
・端部４９，１２２のクランク形状部７０，１２３を省略してもよい。また、端部４９，１２２は一旦外径側へ延びた後、クランク形状部７０，１２３で内径側へ延びる形状であったが、逆でもよい。つまり、例えば図８に代わる図９に示すように、クランク形状部１２４で外径側へ延び、端部１２２の先端で内径側へ延びる形状であってもよい。この場合、端部１２２（４９）を外径側へ大きくなることなく、先端の同相コイルとの接続部分において隣接するカセットコイルとの干渉を避けることができる。
【符号の説明】
【００５５】
１０…ステータ、２０…ステータコア、２１…スロット、３０…同極カセットコイル、３１…巻回部、３２…スロット挿入部、３３…スロット挿入部、３９…端部、４０…第２の同極カセットコイル、４１…巻回部、４２…スロット挿入部、４３…スロット挿入部、４９…端部、７０…クランク形状部、１２３…クランク形状部、１２４…クランク形状部。
【図１】
2014135849.tif 000003
【図２】
2014135849.tif 000004
【図３】
2014135849.tif 000005
【図４】
2014135849.tif 000006
【図５】
2014135849.tif 000007
【図６】
2014135849.tif 000008
【図７】
2014135849.tif 000009
【図８】
2014135849.tif 000010
【図９】
2014135849.tif 000011